(57)【要約】【課題】撮像画像によらず、合焦領域を見やすく表示することができる表示装置、電子機器及び表示装置の駆動方法を提供する。【解決手段】表示装置は、撮像画像を表示させる。表示装置は、第１副画素、第２副画素、第３副画素及び第４副画素を含む画素が２次元マトリクス状に配列された画像表示パネルと、信号処理部と、を有し、信号処理部は、入力信号の入力ＨＳＶ色空間の入力値を、第１の色、第２の色、第３の色及び第４の色で再現される再現ＨＳＶ色空間の再現値に変換して生成する画像処理部と、撮像画像の入力信号を解析し、焦点位置に被写体がある合焦領域を検出するピーキング処理を行う画像処理部と、合焦領域を強調するピーキングモードで表示を行うかを決定するモード決定部と、を有し、信号処理部は、モード決定部によりピーキングモードで表示を行うことが決定された場合、合焦領域の外縁となる画素の第４の色の出力信号の値を増加させる。【選択図】図６
2015126232.tif 000002
【特許請求の範囲】
【請求項１】
撮像画像を表示させる表示装置であって、
第１の色を表示する第１副画素、第２の色を表示する第２副画素、第３の色を表示する第３副画素及び第４の色を表示する第４副画素を含む画素が２次元マトリクス状に配列された画像表示パネルと、
入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力する信号処理部と、を有し、
前記信号処理部は、
入力信号の入力ＨＳＶ色空間の入力値を、前記第１の色、前記第２の色、前記第３の色及び前記第４の色で再現される再現ＨＳＶ色空間の再現値に変換して生成する画像処理部と、
前記撮像画像の入力信号を解析し、焦点位置に被写体がある合焦領域を検出するピーキング処理を行う画像処理部と、
前記合焦領域を強調するピーキングモードで表示を行うかを決定するモード決定部と、を有し、
前記信号処理部は、前記モード決定部により前記ピーキングモードで表示を行うことが決定された場合、前記合焦領域の外縁となる前記画素の前記第４の色の出力信号の値を増加させる表示装置。
【請求項２】
前記信号処理部は、前記モード決定部により前記ピーキングモードで表示を行うことが決定された場合、前記合焦領域の外縁となる前記画素の前記第１の色、前記第２の色、前記第３の色及び前記第４の色の出力信号の値を最大値とする請求項１に記載の表示装置。
【請求項３】
前記信号処理部は、前記モード決定部により前記ピーキングモードで表示を行うことが決定された場合、前記合焦領域の外縁となる前記画素の前記第４の色の出力信号の値を最大値とする請求項１に記載の表示装置。
【請求項４】
前記信号処理部は、前記モード決定部により前記ピーキングモードで表示を行うことが決定された場合、前記合焦領域以外の前記画素の出力信号を前記第１の色、前記第２の色及び前記第３の色で再現される再現ＨＳＶ色空間の再現値に変換して生成し、前記合焦領域の外縁となる前記画素の出力信号を前記第１の色、前記第２の色、前記第３の色及び前記第４の色で再現される再現ＨＳＶ色空間の再現値に変換して生成する請求項１に記載の表示装置。
【請求項５】
前記信号処理部は、入力信号の入力ＨＳＶ色空間の入力値を、前記第１の色、前記第２の色、前記第３の色及び前記第４の色で再現される再現ＨＳＶ色空間の再現値に変換して生成する処理時に、出力信号に伸長係数を乗算して、輝度を向上させる処理を行い、
前記モード決定部により前記ピーキングモードで表示を行うことが決定された場合、
前記合焦領域の外縁の前記画素の出力信号に対する伸長係数を、前記合焦領域以外の前記画素の出力信号に対する伸長係数よりも大きくする請求項１に記載の表示装置。
【請求項６】
前記第４の色は、白である請求項１から５のいずれか一項に記載の表示装置。
【請求項７】
請求項１から請求項６のいずれか１項に記載の表示装置と、
前記撮像画像を撮像する撮像装置と、を備える電子機器。
【請求項８】
第１の色を表示する第１副画素、第２の色を表示する第２副画素、第３の色を表示する第３副画素及び第４の色を表示する第４副画素を含む画素が２次元マトリクス状に配列された画像表示パネルを有し、撮像画像を表示させる表示装置の駆動方法であって、
入力信号の入力ＨＳＶ色空間の入力値を検出するステップと、
撮像画像の合焦領域を強調するピーキングモードで表示を行うかを決定するステップと、
前記ピーキングモードで表示を行うことを決定した場合、前記撮像画像の入力信号を解析し、焦点位置に被写体がある合焦領域を検出するピーキング処理を行うステップと、
前記第１の色、前記第２の色、前記第３の色及び前記第４の色で再現される再現ＨＳＶ色空間の再現値に変換して生成し、かつ、前記合焦領域の外縁となる前記画素の前記第４の色の出力信号の値を増加させ、生成した出力信号を前記画像表示パネルに出力するステップと、を含む表示装置の駆動方法。
【発明の詳細な説明】
【技術分野】
【０００１】
本発明は、表示装置、電子機器及び表示装置の駆動方法に関する。
【背景技術】
【０００２】
コンパクトカメラ、一眼レフカメラ、携帯電話、スマートフォン等、撮像装置と表示装置を備えている電子機器は、撮像装置が撮像した画像を表示装置に表示させる。また、表示装置を備え、撮像装置を備えていない電子機器でも、撮像した画像を表示させる場合もある。
【０００３】
電子機器では、撮像装置で撮像した画像を表示させる際に、ピントが合っている位置（ピーキング位置）を加工して表示させる機能がある。例えば、特許文献１及び特許文献２には、画像処理を行い、画像のエッジを抽出し、エッジをピントの合っている部分として、当該ピントが合っている領域の所定の背景色に変換すること、信号値に所定の値を加算することが記載されている。
【先行技術文献】
【特許文献】
【０００４】
【特許文献１】特開２０１３−７４３９５号公報
【特許文献２】特開平９−１３９９５２号公報
【発明の概要】
【発明が解決しようとする課題】
【０００５】
ここで、ピントが合っている領域（合焦領域）に所定の背景色や、信号値を加算する場合、画像内に同じ色の画像が生じる可能性があり、合焦領域と他の領域の識別が難しく、合焦領域が見えにくくなる恐れがある。
【０００６】
ここで、表示装置には、従来の赤、緑、青の副画素に第４の副画素、例えば白画素を加える技術がある。この技術は、第４の副画素が輝度を向上させる分、バックライトの電流値を下げ、消費電力を低減することができる。なお、第４の副画素は、赤、緑、青等の副画素に比べて、同じ出力で輝度が高くなる色が用いられる。
【０００７】
本態様は、撮像画像によらず、合焦領域を見やすく表示することができる表示装置、電子機器及び表示装置の駆動方法を提供することを目的とする。
【課題を解決するための手段】
【０００８】
本態様の表示装置は、撮像画像を表示させる表示装置であって、第１の色を表示する第１副画素、第２の色を表示する第２副画素、第３の色を表示する第３副画素及び第４の色を表示する第４副画素を含む画素が２次元マトリクス状に配列された画像表示パネルと、入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力する信号処理部と、を有し、前記信号処理部は、入力信号の入力ＨＳＶ色空間の入力値を、前記第１の色、前記第２の色、前記第３の色及び前記第４の色で再現される再現ＨＳＶ色空間の再現値に変換して生成する画像処理部と、前記撮像画像の入力信号を解析し、焦点位置に被写体がある合焦領域を検出するピーキング処理を行う画像処理部と、前記合焦領域を強調するピーキングモードで表示を行うかを決定するモード決定部と、を有し、前記信号処理部は、前記モード決定部により前記ピーキングモードで表示を行うことが決定された場合、前記合焦領域の外縁となる前記画素の前記第４の色の出力信号の値を増加させる。
【０００９】
本態様の電子機器は、上述した本態様の表示装置と、前記撮像画像を撮像する撮像装置と、を備える。
【００１０】
本態様の表示装置の駆動方法は、第１の色を表示する第１副画素、第２の色を表示する第２副画素、第３の色を表示する第３副画素及び第４の色を表示する第４副画素を含む画素が２次元マトリクス状に配列された画像表示パネルを有し、撮像画像を表示させる表示装置の駆動方法であって、入力信号の入力ＨＳＶ色空間の入力値を検出するステップと、撮像画像の合焦領域を強調するピーキングモードで表示を行うかを決定するステップと、前記ピーキングモードで表示を行うことを決定した場合、前記撮像画像の入力信号を解析し、焦点位置に被写体がある合焦領域を検出するピーキング処理を行うステップと、前記第１の色、前記第２の色、前記第３の色及び前記第４の色で再現される再現ＨＳＶ色空間の再現値に変換して生成し、かつ、前記合焦領域の外縁となる前記画素の前記第４の色の出力信号の値を増加させ、生成した出力信号を前記画像表示パネルに出力するステップと、を含む。
【図面の簡単な説明】
【００１１】
【図１】図１は、本実施形態にかかる電子機器の構成の一例を示すブロック図である。
【図２】図２は、図１に示す電子機器の表示装置の構成の一例を示すブロック図である。
【図３】図３は、本実施形態に係る画像表示パネルの画素配列の一例を示す図である。
【図４】図４は、本実施形態の表示装置で再現可能な再現ＨＳＶ色空間の概念図である。
【図５】図５は、再現ＨＳＶ色空間の色相と彩度との関係を示す概念図である。
【図６】図６は、本実施形態に係る信号処理部を説明するためのブロック図である。
【図７】図７は、本実施形態に係る表示装置の駆動方法のフローチャートである。
【図８】図８は、本実施形態に係る表示装置の駆動方法のフローチャートである。
【図９】図９は、表示装置の駆動方法を説明するための説明図である。
【図１０】図１０は、ピーキングモードと信号の変換との関係を示す説明図である。
【図１１】図１１は、本実施形態に係る表示装置の駆動方法のフローチャートである。
【図１２】図１２は、本実施形態に係る表示装置の駆動方法のフローチャートである。
【図１３】図１３は、表示装置の駆動方法を説明するための説明図である。
【図１４】図１４は、本実施形態に係る表示装置を適用する電子機器の一例を示す図である。
【図１５】図１５は、本実施形態に係る表示装置を適用する電子機器の一例を示す図である。
【図１６】図１６は、本実施形態に係る表示装置を適用する電子機器の一例を示す図である。
【図１７】図１７は、本実施形態に係る表示装置を適用する電子機器の一例を示す図である。
【図１８】図１８は、本実施形態に係る表示装置を適用する電子機器の一例を示す図である。
【図１９】図１９は、本実施形態に係る表示装置を適用する電子機器の一例を示す図である。
【発明を実施するための形態】
【００１２】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１３】
（電子機器の構成）
図１は、本実施形態にかかる電子機器の構成の一例を示すブロック図である。図１に示す電子機器１は、制御装置２と、記憶装置４と、撮像装置８と、表示装置１０と、を有する。制御装置２は、電子機器１の各部の動作を制御する処理、演算機能を備えている。記憶装置４は、電子機器１の各部の処理の実行に必要なプログラムや、撮像装置８で撮影した画像のデータ、その他のデータを記憶している。撮像装置８は、撮影領域を撮影する装置である。撮像装置８は、焦点距離を調整し、焦点位置（ピント）を調整する機能を備えている。なお、焦点位置を調整する機能は、手動で焦点位置を調整するマニュアルフォーカス機能でも、自動で焦点位置を調整するオートフォーカス機能でもよい。後述する表示装置１０の機能は、マニュアルフォーカス機能の場合に好適に用いることができる。
【００１４】
（表示装置の構成）
図２は、図１に示す電子機器の表示装置の構成の一例を示すブロック図である。図３は、本実施形態に係る画像表示パネルの画素配列の一例を示す図である。
【００１５】
図２に示すように、表示装置１０は、画像出力部１１からの画像の入力信号ＳＲＧＢが入力され、表示装置１０の各部に出力信号ＳＲＧＢＷを送り、動作を制御する信号処理部２０と、信号処理部２０から出力された出力信号ＳＲＧＢＷに基づいて画像を表示させる画像表示パネル（表示部）３０と、画像表示パネル３０の駆動を制御する画像表示パネル駆動部４０と、画像表示パネル３０を背面から照明する面状光源装置５０と、面状光源装置５０の駆動を制御する面状光源装置駆動部６０と、を備える。なお、表示装置１０は、特許文献の、特開２０１１−１５４３２３号公報に記載されている画像表示装置組立体と同様の構成であり、特開２０１１−１５４３２３号公報に記載されている各種変形例が適用可能である。また、画像出力部１１は、撮像装置８、制御装置２または記憶装置４から画像のデータが入力され、入力された画像データから入力信号ＳＲＧＢを生成し、信号処理部２０に送る。
【００１６】
信号処理部２０は、画像表示パネル３０及び面状光源装置５０の動作を制御する演算処理部である。信号処理部２０は、画像表示パネル３０を駆動するための画像表示パネル駆動部４０、及び、面状光源装置５０を駆動するための面状光源装置駆動部６０と接続されている。信号処理部２０は、外部から入力される入力信号を処理して出力信号及び面状光源装置制御信号を生成する。つまり、信号処理部２０は、入力信号の入力ＨＳＶ色空間の入力値（入力信号）を、第１の色、第２の色、第３の色及び第４の色で再現される再現ＨＳＶ色空間の再現値（出力信号）に変換して生成し、生成した出力信号を画像表示パネル３０に出力する。信号処理部２０は、生成した出力信号を画像表示パネル駆動部４０に出力し、生成した面状光源装置制御信号ＳＢＬを面状光源装置駆動部６０に出力する。
【００１７】
図２に示すように、画像表示パネル３０は、画素４８が、Ｐ０×Ｑ０個（行方向にＰ０個、列方向にＱ０個）、２次元のマトリクス状（行列状）に配列されている。図２に示す例は、ＸＹの２次元座標系に複数の画素４８がマトリクス状に配列されている例を示している。この例において、行方向がＸ方向、列方向はＹ方向である。
【００１８】
画素４８は、第１副画素４９Ｒと、第２副画素４９Ｇと、第３副画素４９Ｂと、第４副画素４９Ｗとを有する。第１副画素４９Ｒは、第１原色（例えば、赤色）を表示する。第２副画素４９Ｇは、第２原色（例えば、緑色）を表示する。第３副画素４９Ｂは、第３原色（例えば、青色）を表示する。第４副画素４９Ｗは、第４の色（具体的には白色）を表示する。このように、画像表示パネル３０に行列状に配列された画素４８は、第１の色を表示する第１副画素４９Ｒ、第２の色を表示する第２副画素４９Ｇ、第３の色を表示する第３副画素４９Ｂ及び第４の色を表示する第４副画素４９Ｗを含む。第１の色、第２の色、第３の色及び第４の色は、第１原色、第２原色、第３原色及び白色に限られず、補色など色が異なっていればよい。第４の色を表示する第４副画素４９Ｗは、同じ光源点灯量で照射された場合、第１の色を表示する第１副画素４９Ｒ、第２の色を表示する第２副画素４９Ｇ、第３の色を表示する第３副画素４９Ｂよりも明るいことが好ましい。以下において、第１副画素４９Ｒと、第２副画素４９Ｇと、第３副画素４９Ｂと、第４副画素４９Ｗとをそれぞれ区別する必要がない場合、副画素４９という。
【００１９】
表示装置１０は、より具体的には、透過型のカラー液晶表示装置である。図３に示すように、画像表示パネル３０は、カラー液晶表示パネルであり、第１副画素４９Ｒと画像観察者との間に第１原色を通過させる第１カラーフィルタが配置され、第２副画素４９Ｇと画像観察者との間に第２原色を通過させる第２カラーフィルタが配置され、第３副画素４９Ｂと画像観察者との間に第３原色を通過させる第３カラーフィルタが配置されている。また、画像表示パネル３０は、第４副画素４９Ｗと画像観察者との間にカラーフィルタが配置されていない。第４副画素４９Ｗには、カラーフィルタの代わりに透明な樹脂層が備えられていてもよい。このように画像表示パネル３０は、透明な樹脂層を設けることで、第４副画素４９Ｗにカラーフィルタを設けないことによって第４副画素４９Ｗに大きな段差が生じることを抑制することができる。
【００２０】
図２及び図３に示す画像表示パネル駆動部４０は、本実施形態の制御部に含まれ、信号出力回路４１及び走査回路４２を備えている。画像表示パネル駆動部４０は、信号出力回路４１によって映像信号を保持し、順次、画像表示パネル３０に出力する。信号出力回路４１は、信号線ＤＴＬによって画像表示パネル３０と電気的に接続されている。画像表示パネル駆動部４０は、走査回路４２によって、画像表示パネル３０における副画素４９を選択し、副画素の動作（光透過率）を制御するためのスイッチング素子（例えば、薄膜トランジスタ（ＴＦＴ；Thin  Film  Transistor））のオン及びオフを制御する。走査回路４２は、走査線ＳＣＬによって画像表示パネル３０と電気的に接続されている。
【００２１】
面状光源装置５０は、画像表示パネル３０の背面に配置され、画像表示パネル３０に向けて光を照射することで、画像表示パネル３０を照明する。面状光源装置駆動部６０は、面状光源装置５０から出力する光の光量等を制御する。面状光源装置駆動部６０は、本実施形態の制御部に含まれる。具体的には、面状光源装置駆動部６０は、信号処理部２０から出力される面状光源装置制御信号ＳＢＬに基づいて面状光源装置５０に供給する電流又はデューティ比（ｄｕｔｙ比）を調整することで、画像表示パネル３０を照射する光の光量（光の強度）を制御する。
【００２２】
（表示装置の処理動作）
次に、表示装置１０、より具体的には信号処理部２０が実行する処理動作について説明する。図４は、本実施形態の表示装置で再現可能な再現ＨＳＶ色空間の概念図である。図５は、再現ＨＳＶ色空間の色相と彩度との関係を示す概念図である。図６は、本実施形態に係る信号処理部を説明するためのブロック図である。
【００２３】
図２に示すように、信号処理部２０は、画像出力部１１から表示する画像の情報である入力信号ＳＲＧＢが入力される。入力信号ＳＲＧＢは、各画素に対して、その位置で表示する画像（色）の情報を入力信号として含んでいる。具体的には、Ｐ０×Ｑ０個の画素４８がマトリクス状に配置された画像表示パネル３０において、第（ｐ、ｑ）番目の画素４８（ただし、１≦ｐ≦Ｐ０、１≦ｑ≦Ｑ０）に対して、信号値がｘ１−（ｐ、ｑ）の第１副画素４９Ｒの入力信号、信号値がｘ２−（ｐ、ｑ）の第２副画素４９Ｇの入力信号及び信号値がｘ３−（ｐ、ｑ）の第３副画素４９Ｂの入力信号（図２参照）が含まれる信号が信号処理部２０に入力される。図６に示すように、信号処理部２０は、タイミング生成部２１と、画像処理部２２と、モード決定部２３と、画像解析部２４と、光源駆動値決定部２６と、を含む。
【００２４】
タイミング生成部２１は、基準クロック等であり、画像表示パネル３０と面状光源装置５０の動作を同期させるための信号を生成する。画像処理部２２は、画像出力部１１から入力される入力信号に対して各種処理を行い、画像表示パネル駆動部４０に出力する信号（表示信号）を生成する。画像処理部２２が実行する処理としては、γ補正や、色空間補正、ＲＧＢの信号をＲＧＢＷの信号に変換する処理等がある。また、画像処理部２２は、ピントが合っている領域である合焦位置を強調して表示するピーキング処理を実行する。
【００２５】
モード決定部２３は、画像処理部２２でピーキング処理を実行するか否か、また、実行するピーキング処理のモードを決定する。モード決定部２３は、ユーザによって行われた設定に基づいて、モードを決定する。
【００２６】
画像解析部２４は、画像出力部１１から出力された画像を解析し、画像のピントが合っている領域（合焦領域）を検出する。具体的には、画像解析部２４は、画像処理によりエッジを検出し、エッジが検出された領域を合焦領域とする。なお、エッジ検出方法は、種々の方法を用いることができ、例えば隣接する画素との差分に基づいて、画像が不連続になっている位置を検出する方法がある。画像解析部２４は、取得した合焦領域の情報を画像処理部２２に送る。
【００２７】
光源駆動値決定部２６は、画像処理部２２と画像解析部２４との結果に基づいて、面状光源装置５０の光源から出力する光量（ＬＥＤ点灯量）を決定し、決定した光量（ＬＥＤ点灯量）を面状光源装置駆動部６０に出力する。
【００２８】
次に、図７から図１３を用いて、信号処理部２０による画像表示パネル３０の制御動作と面状光源装置５０の制御動作について説明する。図７は、本実施形態に係る表示装置の駆動方法のフローチャートである。図８は、本実施形態に係る表示装置の駆動方法のフローチャートである。図９は、表示装置の駆動方法を説明するための説明図である。図１０は、ピーキングモードと信号の変換との関係を示す説明図である。図１１は、本実施形態に係る表示装置の駆動方法のフローチャートである。図１２は、本実施形態に係る表示装置の駆動方法のフローチャートである。図１３は、表示装置の駆動方法を説明するための説明図である。
【００２９】
図７は、表示装置１０が画像を表示する際に実行する処理の全体の流れの一例を示している。図７を用いて、表示装置１０の処理の流れを説明する。図２及び図６に示す信号処理部２０は、図７に示すように、入力信号ＳＲＧＢを検出する（ステップＳ２２）。そして、タイミング生成部２１は、入力信号ＳＲＧＢを処理することで、１フレーム毎に画像表示パネル駆動部４０と、面状光源装置駆動部６０とのタイミングを同期する同期信号ＳＴＭを画像表示パネル駆動部４０及び面状光源装置駆動部６０へ送出する。信号処理部２０は、画像処理部２２及び画像解析部２４により、入力信号ＳＲＧＢで生成される画像を解析する（ステップＳ２４）。本実施形態の信号処理部２０の画像処理部２２は、入力信号ＳＲＧＢを処理することで、第１副画素４９Ｒの表示階調を決定するための第１副画素の出力信号（信号値Ｘ１−（ｐ、ｑ））、第２副画素４９Ｇの表示階調を決定するための第２副画素の出力信号（信号値Ｘ２−（ｐ、ｑ））、第３副画素４９Ｂの表示階調を決定するための第３副画素の出力信号（信号値Ｘ３−（ｐ、ｑ））及び第４副画素４９Ｗの表示階調を決定するための第４副画素の出力信号（信号値Ｘ４−（ｐ、ｑ））を生成する。さらに信号処理部２０は、画像処理部２２で生成した出力信号に基づいて、画像を解析する。
【００３０】
以下、本実施形態に係る表示データの演算処理について詳細に説明する。表示装置１０は、画素４８に第４の色（白色）を出力する第４副画素４９Ｗを備えることで、図４に示すように、ＨＳＶ色空間（再現ＨＳＶ色空間）における明度のダイナミックレンジを広げることができる。つまり、図４に示すように、第１副画素４９Ｒ、第２副画素４９Ｇ及び第３副画素４９Ｂが表示することのできる円柱形状のＨＳＶ色空間に、彩度Ｓが高くなるほど明度Ｖの最大値が低くなる略台形形状となる立体が載っている形状となる。
【００３１】
信号処理部２０の画像処理部２２は、第４の色（白色）を加えることで、拡大されたＨＳＶ色空間における彩度Ｓを変数とした明度の最大値Ｖｍａｘ（Ｓ）が、信号処理部２０に記憶されている。つまり、信号処理部２０は、図４に示すＨＳＶ色空間の立体形状について、彩度Ｓ及び色相Ｈの座標（値）毎に明度の最大値Ｖｍａｘ（Ｓ）の値を記憶している。入力信号は、第１副画素４９Ｒ、第２副画素４９Ｇ及び第３副画素４９Ｂの入力信号を有するため、入力信号のＨＳＶ色空間は、円柱形状、つまり、再現ＨＳＶ色空間の円柱形状部分と同じ形状となる。
【００３２】
次に、信号処理部２０の画像処理部２２は、少なくとも第１副画素４９Ｒの入力信号（信号値ｘ１−（ｐ、ｑ））及び伸張係数αに基づいて、第１副画素４９Ｒの出力信号（信号値Ｘ１−（ｐ、ｑ））を算出し、第１副画素４９Ｒへ出力する。また、信号処理部２０は、少なくとも第２副画素４９Ｇの入力信号（信号値ｘ２−（ｐ、ｑ））及び伸張係数αに基づいて第２副画素４９Ｇの出力信号（信号値Ｘ２−（ｐ、ｑ））を算出し、第２副画素４９Ｇへ出力する。また、信号処理部２０は、少なくとも第３副画素４９Ｂの入力信号（信号値ｘ３−（ｐ、ｑ））及び伸張係数αに基づいて第３副画素４９Ｂの出力信号（信号値Ｘ３−（ｐ、ｑ））を算出し、第３副画素４９Ｂへ出力する。さらに、信号処理部２０は、第１副画素４９Ｒの入力信号（信号値ｘ１−（ｐ、ｑ））、第２副画素４９Ｇの入力信号（信号値ｘ２−（ｐ、ｑ））及び第３副画素４９Ｂの入力信号（信号値ｘ３−（ｐ、ｑ））に基づいて第４副画素４９Ｗの出力信号（信号値Ｘ４−（ｐ、ｑ））を算出し、第４副画素４９Ｗへ出力する。
【００３３】
具体的には、信号処理部２０の画像処理部２２は、第１副画素４９Ｒの伸張係数α及び第４副画素４９Ｗの出力信号に基づいて第１副画素４９Ｒの出力信号を算出し、第２副画素４９Ｇの伸張係数α及び第４副画素４９Ｗの出力信号に基づいて第２副画素４９Ｇの出力信号を算出し、第３副画素４９Ｂの伸張係数α及び第４副画素４９Ｗの出力信号に基づいて第３副画素４９Ｂの出力信号を算出する。
【００３４】
つまり、信号処理部２０は、χを表示装置１０に依存した定数としたとき、第（ｐ、ｑ）番目の画素（又は第１副画素４９Ｒ、第２副画素４９Ｇ及び第３副画素４９Ｂの組）への第１副画素４９Ｒの出力信号である信号値Ｘ１−（ｐ、ｑ）、第２副画素４９Ｇの出力信号である信号値Ｘ２−（ｐ、ｑ）及び第３副画素４９Ｂの出力信号である信号値Ｘ３−（ｐ、ｑ）を、次に示す式（１）〜式（３）から求める。
【００３５】
Ｘ１−（ｐ、ｑ）＝α・ｘ１−（ｐ、ｑ）−χ・Ｘ４−（ｐ、ｑ）・・・（１）
【００３６】
Ｘ２−（ｐ、ｑ）＝α・ｘ２−（ｐ、ｑ）−χ・Ｘ４−（ｐ、ｑ）・・・（２）
【００３７】
Ｘ３−（ｐ、ｑ）＝α・ｘ３−（ｐ、ｑ）−χ・Ｘ４−（ｐ、ｑ）・・・（３）
【００３８】
信号処理部２０は、第４の色を加えることで拡大されたＨＳＶ色空間における彩度Ｓを変数とした明度の最大値Ｖｍａｘ（Ｓ）を求め、複数の画素４８における副画素４９の入力信号値に基づき、これらの複数の画素４８における彩度Ｓ及び明度Ｖ（Ｓ）を求める。
【００３９】
彩度Ｓ及び明度Ｖ（Ｓ）は、Ｓ＝（Ｍａｘ−Ｍｉｎ）／Ｍａｘ及びＶ（Ｓ）＝Ｍａｘで表される。彩度Ｓは０から１までの値をとることができ、明度Ｖ（Ｓ）は０から（２ｎ−１）までの値をとることができる。ｎは、表示階調ビット数である。また、Ｍａｘは、画素４８への第１副画素４９Ｒの入力信号値、第２副画素４９Ｇの入力信号値及び第３副画素４９Ｂの入力信号値のうち、最大値である。Ｍｉｎは、画素４８への第１副画素４９Ｒの入力信号値、第２副画素４９Ｇの入力信号値及び第３副画素４９Ｂの入力信号値のうち、最小値である。また、色相Ｈは、図５に示すように０°から３６０°で表される。０°から３６０°に向かって、赤（Ｒｅｄ）、黄色（Ｙｅｌｌｏｗ）、緑（Ｇｒｅｅｎ）、シアン（Ｃｙａｎ）、青（Ｂｌｕｅ）、マゼンタ（Ｍａｇｅｎｔａ）、赤となる。
【００４０】
本実施形態において、信号値Ｘ４−（ｐ、ｑ）は、Ｍｉｎ（ｐ、ｑ）と伸張係数αとの積に基づき求めることができる。具体的には、下記の式（４）に基づいて信号値Ｘ４−（ｐ、ｑ）を求めることができる。式（４）では、Ｍｉｎ（ｐ、ｑ）と伸張係数αとの積をχで除しているが、これに限定するものではない。χについては後述する。
【００４１】
Ｘ４−（ｐ、ｑ）＝Ｍｉｎ（ｐ、ｑ）・α／χ・・・（４）
【００４２】
一般に、第（ｐ、ｑ）番目の画素において、第１副画素４９Ｒの入力信号（信号値ｘ１−（ｐ、ｑ））、第２副画素４９Ｇの入力信号（信号値ｘ２−（ｐ、ｑ））及び第３副画素４９Ｂの入力信号（信号値ｘ３−（ｐ、ｑ））に基づき、円柱のＨＳＶ色空間における彩度（Saturation）Ｓ（ｐ、ｑ）及び明度（Brightness）Ｖ（Ｓ）（ｐ、ｑ）は、次の式（５）、式（６）から求めることができる。
【００４３】
Ｓ（ｐ、ｑ）＝（Ｍａｘ（ｐ、ｑ）−Ｍｉｎ（ｐ、ｑ））／Ｍａｘ（ｐ、ｑ）・・・（５）
【００４４】
Ｖ（Ｓ）（ｐ、ｑ）＝Ｍａｘ（ｐ、ｑ）・・・（６）
【００４５】
ここで、Ｍａｘ（ｐ、ｑ）は、（ｘ１−（ｐ、ｑ）、ｘ２−（ｐ、ｑ）、ｘ３−（ｐ、ｑ））の３個の副画素４９の入力信号値の最大値であり、Ｍｉｎ（ｐ、ｑ）は、（ｘ１−（ｐ、ｑ）、ｘ２−（ｐ、ｑ）、ｘ３−（ｐ、ｑ））３個の副画素４９の入力信号値の最小値である。本実施形態ではｎ＝８とした。すなわち、表示階調ビット数を８ビット（表示階調の値を０から２５５の２５６階調）とした。
【００４６】
白色を表示する第４副画素４９Ｗには、カラーフィルタが配置されていない。第４の色を表示する第４副画素４９Ｗは、同じ光源点灯量で照射された場合、第１の色を表示する第１副画素４９Ｒ、第２の色を表示する第２副画素４９Ｇ、第３の色を表示する第３副画素４９Ｂよりも明るい。第１副画素４９Ｒに第１副画素４９Ｒの出力信号の最大信号値に相当する値を有する信号が入力され、第２副画素４９Ｇに第２副画素４９Ｇの出力信号の最大信号値に相当する値を有する信号が入力され、第３副画素４９Ｂに第３副画素４９Ｂの出力信号の最大信号値に相当する値を有する信号が入力されたときの、画素４８又は画素４８の群が備える第１副画素４９Ｒ、第２副画素４９Ｇ及び第３副画素４９Ｂの集合体の輝度をＢＮ１−３とする。また、画素４８又は画素４８の群が備える第４副画素４９Ｗに、第４副画素４９Ｗの出力信号の最大信号値に相当する値を有する信号が入力されたときの第４副画素４９Ｗの輝度ＢＮ４としたときを想定する。すなわち、第１副画素４９Ｒ、第２副画素４９Ｇ及び第３副画素４９Ｂの集合体によって最大輝度の白色が表示され、この白色の輝度がＢＮ１−３で表される。すると、χを表示装置１０に依存した定数としたとき、定数χは、χ＝ＢＮ４／ＢＮ１−３で表される。
【００４７】
具体的には、第１副画素４９Ｒ、第２副画素４９Ｇ及び第３副画素４９Ｂの集合体に、次の表示階調の値を有する入力信号として、信号値ｘ１−（ｐ、ｑ）＝２５５、信号値ｘ２−（ｐ、ｑ）＝２５５、信号値ｘ３−（ｐ、ｑ）＝２５５が入力されたときにおける白色の輝度ＢＮ１−３に対して、第４副画素４９Ｗに表示階調の値２５５を有する入力信号が入力されたと仮定したときの輝度ＢＮ４は、例えば、１．５倍である。すなわち、本実施形態にあっては、χ＝１．５である。
【００４８】
ところで、信号値Ｘ４−（ｐ、ｑ）が、上述した式（４）で与えられる場合、Ｖｍａｘ（Ｓ）は、次の式（７）、式（８）で表すことができる。
【００４９】
Ｓ≦Ｓ０の場合、
Ｖｍａｘ（Ｓ）＝（χ＋１）・（２ｎ−１）・・・（７）
【００５０】
Ｓ０＜Ｓ≦１の場合：
Ｖｍａｘ（Ｓ）＝（２ｎ−１）・（１／Ｓ）・・・（８）
ここで、Ｓ０＝１／（χ＋１）である。
【００５１】
このようにして得られた、第４の色を加えることによって拡大されたＨＳＶ色空間における彩度Ｓを変数とした明度の最大値Ｖｍａｘ（Ｓ）が、例えば、信号処理部２０に一種のルックアップテ−ブルとして記憶されている。あるいは、拡大されたＨＳＶ色空間における彩度Ｓを変数とした明度の最大値Ｖｍａｘ（Ｓ）は、都度、信号処理部２０において求められる。
【００５２】
次に、第（ｐ、ｑ）番目の画素４８における出力信号である信号値Ｘ１−（ｐ、ｑ）、Ｘ２−（ｐ、ｑ）、Ｘ３−（ｐ、ｑ）、Ｘ４−（ｐ、ｑ）の求め方（伸張処理）を説明する。次の処理は、（第１副画素４９Ｒ＋第４副画素４９Ｗ）によって表示される第１原色の輝度、（第２副画素４９Ｇ＋第４副画素４９Ｗ）によって表示される第２原色の輝度、（第３副画素４９Ｂ＋第４副画素４９Ｗ）によって表示される第３原色の輝度の比を保つように行われる。しかも、色調を保持（維持）するように行われる。さらには、階調−輝度特性（ガンマ特性、γ特性）を保持（維持）するように行われる。また、いずれかの画素４８又は画素４８の群において、入力信号値のすべてが０である場合又は小さい場合、このような画素４８又は画素４８の群を含めることなく、伸張係数αを求めればよい。
【００５３】
（第１工程）
まず、信号処理部２０は、複数の画素４８における副画素４９の入力信号値に基づき、これらの複数の画素４８における彩度Ｓ及び明度Ｖ（Ｓ）を求める。具体的には、第（ｐ、ｑ）番目の画素４８への第１副画素４９Ｒの入力信号である信号値ｘ１−（ｐ、ｑ）、第２副画素４９Ｇの入力信号である信号値ｘ２−（ｐ、ｑ）、第３副画素４９Ｂの入力信号である信号値ｘ３−（ｐ、ｑ）に基づき、式（５）及び式（６）からＳ（ｐ、ｑ）、Ｖ（Ｓ）（ｐ、ｑ）を求める。信号処理部２０は、この処理を、すべての画素４８に対して行う。
【００５４】
（第２工程）
次いで、信号処理部２０は、複数の画素４８において求められたＶｍａｘ（Ｓ）／Ｖ（Ｓ）に基づき伸張係数α（Ｓ）を求める。
【００５５】
α（Ｓ）＝Ｖｍａｘ（Ｓ）／Ｖ（Ｓ）・・・（９）
【００５６】
（第３工程）
次に、信号処理部２０は、第（ｐ、ｑ）番目の画素４８における信号値Ｘ４−（ｐ、ｑ）を、少なくとも、信号値ｘ１−（ｐ、ｑ）、信号値ｘ２−（ｐ、ｑ）及び信号値ｘ３−（ｐ、ｑ）に基づいて求める。本実施形態にあっては、信号処理部２０は、信号値Ｘ４−（ｐ、ｑ）を、Ｍｉｎ（ｐ、ｑ）、伸張係数α及び定数χに基づいて決定する。より具体的には、信号処理部２０は、上述したとおり、信号値Ｘ４−（ｐ、ｑ）を、上記の式（４）に基づいて求める。信号処理部２０は、Ｐ０×Ｑ０個の全画素４８において信号値Ｘ４−（ｐ、ｑ）を求める。
【００５７】
（第４工程）
その後、信号処理部２０は、第（ｐ、ｑ）番目の画素４８における信号値Ｘ１−（ｐ、ｑ）を、信号値ｘ１−（ｐ、ｑ）、伸張係数α及び信号値Ｘ４−（ｐ、ｑ）に基づき求め、第（ｐ、ｑ）番目の画素４８における信号値Ｘ２−（ｐ、ｑ）を、信号値ｘ２−（ｐ、ｑ）、伸張係数α及び信号値Ｘ４−（ｐ、ｑ）に基づき求め、第（ｐ、ｑ）番目の画素４８における信号値Ｘ３−（ｐ、ｑ）を、信号値ｘ３−（ｐ、ｑ）、伸張係数α及び信号値Ｘ４−（ｐ、ｑ）に基づき求める。具体的には、信号処理部２０は、第（ｐ、ｑ）番目の画素４８における信号値Ｘ１−（ｐ、ｑ）、信号値Ｘ２−（ｐ、ｑ）及び信号値Ｘ３−（ｐ、ｑ）を、上記の式（１）〜（３）に基づいて求める。
【００５８】
信号処理部２０は、式（４）に示したとおり、Ｍｉｎ（ｐ、ｑ）の値を伸張係数αによって伸張する。このように、Ｍｉｎ（ｐ、ｑ）の値が伸張係数αによって伸張されることで、白色表示副画素（第４副画素４９Ｗ）の輝度が増加するだけでなく、上記式に示すとおり、赤色表示副画素、緑色表示副画素及び青色表示副画素（それぞれ第１副画素４９Ｒ、第２副画素４９Ｇ及び第３副画素４９Ｂに対応する）の輝度も増加する。このため、色のくすみが発生するといった問題を回避することができる。すなわち、Ｍｉｎ（ｐ、ｑ）の値が伸張されていない場合と比較して、Ｍｉｎ（ｐ、ｑ）の値が伸張係数αによって伸張されることで、画像全体として輝度はα倍となる。したがって、例えば、静止画等の画像表示を高輝度で行うことができ、好適である。
【００５９】
信号処理部２０は、画像処理部２２で画像信号に対する処理を行いＲＧＢＷの信号に変換したら、画像解析部２４により変換したＲＧＢＷの信号を解析して１／αを算出する。信号処理部２０は、画像解析を行ったら、光源駆動値決定部２６により面状光源装置５０光源の点灯量の決定処理を行う（ステップＳ２６）。具体的には、光源駆動値決定部２６が、画像信号に基づいて光源の出力を決定し、さらに１／αに基づいて出力を低減する。また、第（ｐ、ｑ）番目の画素４８における信号値Ｘ１−（ｐ、ｑ）、信号値Ｘ２−（ｐ、ｑ）、信号値Ｘ３−（ｐ、ｑ）及び信号値Ｘ４−（ｐ、ｑ）が、α倍に伸張されている。このため、表示装置１０は、画像の入力信号ＳＲＧＢの情報に基づいて、伸張されていない状態の画像の輝度と同じ画像の輝度とするために、面状光源装置５０の輝度を、伸張係数αに基づき減少させてもよい。具体的には、光源駆動値決定部２６が面状光源装置５０の輝度を、（１／α）倍となるように、光源に対して電流又はオン／オフのデューティ比（ｄｕｔｙ比）を制御する。
【００６０】
信号処理部２０は、光源の点灯量を決定したら、光源の点灯量に基づいて、面状光源装置５０から出力される輝度分布を算出し、その結果に基づいて、出力信号を補正し、表示信号を生成し（ステップＳ２８）、生成した表示信号を画像表示パネル駆動部４０に出力する（ステップＳ３０）。信号処理部２０は、以上のようにして、画像表示パネル３０に表示させる信号と、面状光源装置５０の出力する光量とを決定することで、簡単な処理で、画質の劣化を抑制し、かつ、消費電力を低減した状態で画像を表示させることができる。
【００６１】
次に、図８から図１３を用いて信号処理部２０で実行するピーキング処理について説明する。信号処理部２０は、表示する画像として撮像画像のデータを取得した場合、図８に示す処理を実行する。信号処理部２０は、図８に示す処理を、図７の各ステップと並行して実行する。
【００６２】
信号処理部２０は、撮像画像データを取得したら（ステップＳ４０）、ピーキングモードの選択情報を取得する（ステップＳ４２）。ここで、信号処理部２０は、ユーザが図９に示す画面８０を表示させて入力したピーキングモードの選択情報を取得する。なお、ピーキングモードを選択する操作はあらかじめ入力されていてもよいし、ステップＳ４０で選択させる画面を表示してもよい。
【００６３】
ここで、本実施形態では、画面８０にピーキング表示しないことを選択する「ピーキング表示なし」の項目８２と、ピーキング表示し、その際の表示方法が示されている項目８４ａから項目８４ｈが表示されている。項目８４ａは、合焦領域を白で強調するモードであり、「ホワイト」と表示されている。項目８４ｂは、合焦領域を赤で強調するモードであり、「レッド」と表示されている。項目８４ｃは、合焦領域を黄で強調するモードであり、「イエロー」と表示されている。項目８４ｄは、合焦領域を他の部分よりも明るく表示して強調するモードであり、「ライト」と表示されている。項目８４ｅは、合焦領域を明るい白で強調するモードであり、「ライトホワイト」と表示されている。項目８４ｆは、合焦領域を明るい赤で強調するモードであり、「ライトレッド」と表示されている。項目８４ｇは、合焦領域を明るい黄色で強調するモードであり、「ライトイエロー」と表示されている。項目８４ｈは、合焦領域を「ライト」モードよりもさらに明るく表示して強調するモードであり、「ライト（強）」と表示されている。なお、上記は一例であって、色の名前等は上記に限定されるものではない。
【００６４】
信号処理部２０は、ピーキングモード選択情報を取得したら、ピーキングモードが選択されているか、つまり、ピーキング処理を実行することが選択されているかを判定する（ステップＳ４４）。
【００６５】
信号処理部２０は、ピーキングモードが選択されていない（ステップＳ４４でＮｏ）と判定した場合、つまり画面８０の項目８２が選択されていると判定した場合、通常モードで画像を表示する（ステップＳ４６）。具体的には、合焦領域と他の領域とを区別せず処理を行い、画像を表示する。なお、信号処理部２０は、第４副画素４９Ｗを用いずに画像を表示させることもできる。
【００６６】
信号処理部２０は、ピーキングモードが選択されている（ステップＳ４４でＹｅｓ）と判定した場合、つまり、画面８０の項目８４ａから項目８４ｈのいずれかが選択されたと判定した場合、選択された項目８４ａから８４ｈに基づいてピーキングモードを決定する（ステップＳ４８）。つまり、信号処理部２０は、合焦領域に対して実行する処理を決定する。
【００６７】
信号処理部２０は、ピーキングモードを決定したら、ピーク位置を特定し（ステップＳ５０）、つまり撮像画像の中でピントが合っている合焦領域を特定する。信号処理部２０は、画像解析部２４で撮像画像のピーク位置を特定したら、ピーク位置に基づいて画像を加工する（ステップＳ５２）。ピーク位置に行う加工については後述する。
【００６８】
信号処理部２０は、画像を加工したら、画像を表示させる（ステップＳ５４）。信号処理部２０は、ピーク位置（合焦領域）以外の領域は、図７の処理を行う場合と、第４副画素４９Ｗを用いずに表示を行う場合がある。
【００６９】
次に、図１０から図１３を用いて、ピーキング処理について説明する。各ピーキングモードは、合焦領域の画素に含まれる第１副画素４９Ｒ、第２副画素４９Ｇ、第３副画素４９Ｂ及び第４副画素４９Ｗのそれぞれの副画素の信号値を図１０に示す関係を用いて加工する。なお、図１０に示すＲＧＢＷは、各福画素の信号値を０から２５５の２５６階調とした場合の値であり、当該副画素の輝度が最も小さい値０であり、輝度が最も高い値が２５５である。
【００７０】
信号処理部２０は、モードとして「ホワイト」が選択されている場合、第１副画素４９Ｒの信号値Ｒを２５５、第２副画素４９Ｇの信号値Ｇを２５５、第３副画素４９Ｂの信号値Ｂを２５５、第４副画素４９Ｗの信号値Ｗを０とする。信号処理部２０は、モードとして「レッド」が選択されている場合、第１副画素４９Ｒの信号値Ｒを２５５、第２副画素４９Ｇの信号値Ｇを０、第３副画素４９Ｂの信号値Ｂを０、第４副画素４９Ｗの信号値Ｗを０とする。信号処理部２０は、モードとして「イエロー」が選択されている場合、第１副画素４９Ｒの信号値Ｒを２５５、第２副画素４９Ｇの信号値Ｇを２５５、第３副画素４９Ｂの信号値Ｂを０、第４副画素４９Ｗの信号値Ｗを０とする。
【００７１】
信号処理部２０は、モードとして「ライト」が選択されている場合、第１副画素４９Ｒの信号値Ｒの伸長係数をα＝１＋Ｘ、第２副画素４９Ｇの信号値Ｇの伸長係数をα＝１＋Ｘ、第３副画素４９Ｂの信号値Ｂの伸長係数をα＝１＋Ｘ、第４副画素４９Ｗの信号値Ｗの伸長係数をα＝１＋Ｘとする。なお、この場合、信号処理部２０は、合焦領域以外の画素の伸長係数をα＝１等、合焦領域の伸長係数よりも低い値とする。ここで、Ｘは、任意の値を用いることができ、例えば０以上χ以下の値を用いることができる。信号処理部２０は、モードとして「ライト」が選択されている場合、合焦領域の画素とそれ以外の画素とで、伸長係数を異なる値とし、合焦領域を他の領域よりも明るくする。
【００７２】
信号処理部２０は、モードとして「ライトホワイト」が選択されている場合、第１副画素４９Ｒの信号値Ｒを２５５、第２副画素４９Ｇの信号値Ｇを２５５、第３副画素４９Ｂの信号値Ｂを２５５、第４副画素４９Ｗの信号値Ｗを２５５とする。信号処理部２０は、モードとして「ライトレッド」が選択されている場合、第１副画素４９Ｒの信号値Ｒを２５５、第２副画素４９Ｇの信号値Ｇを０、第３副画素４９Ｂの信号値Ｂを０、第４副画素４９Ｗの信号値を２５５とする。信号処理部２０は、モードとして「ライトイエロー」が選択されている場合、第１副画素４９Ｒの信号値Ｒを２５５、第２副画素４９Ｇの信号値Ｇを２５５、第３副画素４９Ｂの信号値Ｂを０、第４副画素４９Ｗの信号値Ｗを２５５とする。
【００７３】
信号処理部２０は、モードとして「ライト（強）」が選択されている場合、第１副画素４９Ｒの信号値Ｒの伸長係数をα＝１、第２副画素４９Ｇの信号値Ｇの伸長係数をα＝１、第３副画素４９Ｂの信号値Ｂの伸長係数をα＝１、第４副画素４９Ｗの信号値Ｗを２５５とする。
【００７４】
次に、図１１を用いて、ピーク位置に基づいた画像の処理、具体的にはステップＳ５２の処理の一例について説明する。図１１の処理は、モードとして、ライトホワイトが選択されている場合の処理である。信号処理部２０は、図１１の処理を各画素に対して実行する。信号処理部２０は、ピーク位置の情報が含まれるピーク解析データを取得し（ステップＳ６０）、対象の画素がピーク位置、つまり合焦領域に含まれるかを判定する（ステップＳ６２）。
【００７５】
信号処理部２０は、ピーク位置である（ステップＳ６２でＹｅｓ）と判定した場合、全白に変換、つまり、ＲＧＢＷの全ての信号値を２５５に変換し、出力する（ステップＳ６４）。信号処理部２０は、ピーク位置ではない（ステップＳ６２でＮｏ）と判定した場合、算出されているＲＧＢＷの信号値をそのまま出力する（ステップＳ６６）。信号処理部２０は、画面の全ての画素に対して、図１１の処理を繰り返すことで、ピーク位置、つまり合焦領域の画素の４つの副画素の信号値をすべて２５５にすることができる。
【００７６】
なお、図１１は、ライトホワイトの場合として、説明したが、ホワイト、レッド、イエロー、ライトレッド、ライトイエローの場合も同様の処理を行うことができる。また、図１０の表では、信号値を最大値の２５５としたが、他の画素と識別可能な輝度の高さであればよく、２５０等でもよい。
【００７７】
次に、図１２を用いて、ピーク位置に基づいた画像の処理、具体的にはステップＳ５２の処理の一例について説明する。図１２の処理は、モードとして、ライトが選択されている場合の処理である。信号処理部２０は、図１２の処理を各画素に対して実行する。信号処理部２０は、ピーク位置の情報が含まれるピーク解析データを取得し（ステップＳ７０）、対象の画素がピーク位置、つまり合焦領域に含まれるかを判定する（ステップＳ７２）。
【００７８】
信号処理部２０は、ピーク位置である（ステップＳ７２でＹｅｓ）と判定した場合、伸長係数を最大、つまりα＝１＋Ｘとする（ステップＳ７４）。信号処理部２０は、ピーク位置ではない（ステップＳ７２でＮｏ）と判定した場合、伸長係数を１、つまりα＝１とする（ステップＳ７６）。信号処理部２０は、対象の画素の伸長係数を決定したら、決定した伸長係数を用いて、ＲＧＢＷ変換処理を行い（ステップＳ７８）、変換した結果をＲＧＢＷの出力信号として出力し、画像を出力する（ステップＳ８０）。信号処理部２０は、図１２の処理を行うことで、合焦領域に含まれる画素を他の画素よりも明るく表示することができる。
【００７９】
表示装置１０は、以上のようにピーク位置の画素に加工を行うことで、図１３に示す画像１００のようにピーク位置１０２を他の部分よりも目立つ状態で表示させることができる。特に表示装置１０は、ライト、ライトホワイト、ライトレッド、ライトイエロー、ライト（強）のように、設定に従って、合焦領域の第４副画素の信号値（輝度）を他の領域の第４副画素の信号値（輝度）よりも高くすることで、合焦領域の画素を通常の表示では出力されないバランスの色で、かつ明るくすることができる。
【００８０】
また、表示装置１０は、ライトホワイト、ライトレッド、ライトイエロー、ライト（強）のように、第４副画素の信号値（輝度）を設定に従って高くすることで、合焦領域の画素を通常の表示では出力されないバランスの色で、かつ明るくすることができる。これにより、合焦領域と他の領域との色を識別しやすくすることができ、かつ明るく目立つ表示とすることができる。具体的には、ホワイト、レッド、イエローのように画像信号で表示される可能性のある色とは異なる色で表示することができるため、ユーザが合焦領域ではない領域を合焦領域と認識することを抑制することができる。
【００８１】
また、表示装置１０は、モードとしてライトを選択し、図１２に示すように、合焦領域の伸長係数を他の領域の伸長係数よりも明るい値とし、合焦領域を他の領域よりも明るく表示させることでも、合焦領域を見やすくすることができる。また、伸長係数を高い値として、合焦領域を目立たせることで、合焦領域の本来の色味を把握できる状態を維持しつつ、合焦領域を認識させることができる。
【００８２】
上述のように、合焦領域を他の領域明るく表示させることで、合焦領域を見やすくすると、室外で表示装置１０を用いる際に、視認性を向上せることができる。
【００８３】
また、表示装置１０は、モードとして、ライト、ライトホワイト、ライトレッド、ライトイエロー、ライト（強）に加え、３色の表示で実現可能な、ホワイト、レッド、イエローも選択可能とすることで、ユーザの好みにしたがって合焦領域を表示させることができる。
【００８４】
また、本実施形態の電子機器は、撮像装置を備えていることが好ましいが、表示装置を備えていればよい。電子機器は、撮像装置で撮像した画像を表示装置に表示する処理として、上述した処理を行うことができる。なお、電子機器は、撮像装置を備え、撮像装置による撮像時に、表示装置で撮像した画像をピーキングモードで処理して表示させることで、画像のどこに焦点が合っているかを把握しつつ、撮影を行うことができる。
【００８５】
以上本実施の形態により、撮像画像によらず、合焦領域を見やすく表示する表示装置及びその駆動方法を提供することができる。
【００８６】
なお、本実施形態の表示装置としては、開示例としての場合を例示したが、その他の適用例として、液晶表示装置、有機ＥＬ表示装置、その他の自発光型表示置、あるいは電気泳動素子等を有する電子ペーパー型表示装置等、あらゆるフラットパネル型の表示装置が挙げられる。また、中小型から大型まで、特に限定することなく適用が可能であることは言うまでもない。
【００８７】
（適用例）
次に、図１４乃至図１９を参照して、本実施形態で説明した表示装置１０の適用例について説明する。図１４乃至図１９は、本実施形態に係る表示装置を適用する電子機器の一例を示す図である。本実施形態に係る表示装置１０は、携帯電話、スマートフォン等の携帯端末装置、デジタルカメラ、ビデオカメラ、テレビジョン装置、ノート型パーソナルコンピュータ、或いは、車両に設けられるメータ類などのあらゆる分野の電子機器に適用することが可能である。言い換えると、本実施形態に係る表示装置１０は、外部から入力された映像信号或いは内部で生成した映像信号を、画像或いは映像として表示するあらゆる分野の電子機器に適用することが可能である。電子機器は、表示装置１０に映像信号を供給し、表示装置１０の動作を制御する制御装置を備える。
【００８８】
（適用例１）
図１４及び図１５に示す電子機器は、本実施形態に係る表示装置１０が適用されるデジタルカメラである。このデジタルカメラは、例えば、フラッシュ用の発光部５２１、表示部５２２、メニュースイッチ５２３及びシャッターボタン５２４を有しており、その表示部５２２は、本実施形態に係る表示装置１０である。図１４に示すように、このデジタルカメラは、レンズカバー５２５を有しており、レンズカバー５２５をスライドさせることで撮影レンズが現れる。デジタルカメラは、その撮影レンズから入射する光を撮像することで、デジタル写真を撮影することができる。また、レンズカバー５２５は、本実施形態にかかる撮像装置８の一部である。
【００８９】
（適用例２）
図１６に示す電子機器は、本実施形態に係る表示装置１０が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態に係る表示装置１０である。また、レンズ５３２は、本実施系他にかかる撮像装置８の一部である。
【００９０】
（適用例３）
図１７及び図１８に示す電子機器は、表示装置１０が適用される携帯電話機である。図１７は携帯電話機を開いた状態での正面図である。図１８は携帯電話機を折りたたんだ状態での正面図である。当該携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。当該ディスプレイ５５４は、表示装置１０が取り付けられている。なお、当該携帯電話機のディスプレイ５５４は、画像を表示する機能の他に、タッチ動作を検出する機能を有していてもよい。また、カメラ５５７は、本実施形態にかかる撮像装置８である。
【００９１】
（適用例４）
図１９に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２及びカメラ５６３を有している。この表示部５６２は、本実施形態に係る表示装置１０である。また、カメラ５６３は、本実施形態にかかる撮像装置８である。
【００９２】
以上により、撮像画像によらず、合焦領域を見やすく表示する電子機器を提供することができる。
【符号の説明】
【００９３】
１０  表示装置
２０  信号処理部
３０  画像表示パネル
４０  画像表示パネル駆動部
４１  信号出力回路
４２  走査回路
４８  画素
４９  副画素
４９Ｒ  第１副画素
４９Ｇ  第２副画素
４９Ｂ  第３副画素
４９Ｗ  第４副画素
５０  面状光源装置
６０  面状光源装置駆動部
【図１】
2015126232.tif 000003
【図２】
2015126232.tif 000004
【図３】
2015126232.tif 000005
【図４】
2015126232.tif 000006
【図５】
2015126232.tif 000007
【図６】
2015126232.tif 000008
【図７】
2015126232.tif 000009
【図８】
2015126232.tif 000010
【図９】
2015126232.tif 000011
【図１０】
2015126232.tif 000012
【図１１】
2015126232.tif 000013
【図１２】
2015126232.tif 000014
【図１３】
2015126232.tif 000015
【図１４】
2015126232.tif 000016
【図１５】
2015126232.tif 000017
【図１６】
2015126232.tif 000018
【図１７】
2015126232.tif 000019
【図１８】
2015126232.tif 000020
【図１９】
2015126232.tif 000021